(57)【要約】【課題】  同時に撮像した複数の画像ファイルを効率よく検索したり、解析を行う画像ファイル記録再生装置及び画像ファイル記録再生プログラムを提供する。【解決手段】  記憶装置１０３に記録された複数の撮像画像ファイルを同期して再生したい場合は、まずファイルの一覧から、同期して再生したいファイルを操作部１０９により選択し、早送り、スロー再生、一時停止などの操作を行う。この操作に基づき、ＣＰＵ１０８は、選択したファイルの最初の画像を記憶装置１０３から読み込んで画像伸張部１０４で伸張し、モニタ１０６に出力するよう制御する。【選択図】      図１
2005276383.tif 000002
【特許請求の範囲】
【請求項１】
同一エリアを異なる角度から撮影した複数の画像ファイルを記録再生する監視システムに用いられる画像ファイル記録再生装置であって、
前記複数の画像ファイルとその時間情報とを記録する記録手段と、
前記記録手段により記録された複数の画像ファイルから再生を行う画像ファイル及び同時に再生を行う画像ファイルを選択する選択手段と、
前記選択手段により選択された複数の画像ファイルを前記各画像ファイルの時間情報に基づいて同時再生する再生手段と、
を有することを特徴とする画像ファイル記録再生装置。
【請求項２】
同一エリアを異なる角度から撮影した複数の画像ファイルを記録再生する監視システムに用いられる画像ファイル記録再生装置を制御するための画像ファイル記録再生プログラムであって、
前記複数の画像ファイルとその時間情報とを記録する記録ステップと、
前記記録ステップにより記録された複数の画像ファイルから再生を行う画像ファイル及び同時に再生を行う画像ファイルを選択する選択ステップと、
前記選択ステップにより選択された複数の画像ファイルを前記各画像ファイルの時間情報に基づいて同時再生する再生ステップと、
を有することを特徴とする画像ファイル記録再生プログラム。
【発明の詳細な説明】
【技術分野】
【０００１】
本発明は画像ファイル記録再生装置及び画像ファイル記録再生プログラムに関する。
【背景技術】
【０００２】
カメラで撮像した映像を監視するＣＣＴＶ（Closed Circuit Television）システムでは、撮像した映像をモニタに表示して監視するだけでなく、後日映像を確認したり犯罪の証拠とするため記録することが行われている。映像の記録においては、従来はタイムラプスＶＴＲを用いてビデオテープに記録していたが、信頼性、耐久性や検索性を向上するため、近年ＰＣやビデオディスクレコーダを用いてハードディスクや光ディスクに記録することが多い。
【０００３】
実際の監視の現場では監視対象を複数のカメラで撮像することが多い。例えばコンビニエンスストアの店内を監視する場合、出入り口、レジ付近、店内をそれぞれ異なるカメラで撮像し、それぞれ記録している（例えば、特許文献１参照。）。
【特許文献１】特開２００３−１６３９２３公報
【発明の開示】
【発明が解決しようとする課題】
【０００４】
ところで、撮像した映像はそれぞれ独立したファイルとして記録されているので、再生する際にもそれぞれを再生する。従って例えば犯人がレジ付近から出入り口に移動していった場合など、２つの映像を並べてみたいときでも、同期をとって再生したり、同時に早送り、スローなどの制御をして再生を行うことができない。このため従来の再生装置は記録した画像を効率よく検索したり、解析を行うことができないという問題があった。
【０００５】
本発明は、以上の点に鑑みなされたもので、撮像した複数の画像ファイルを効率よく検索したり、解析を行う画像ファイル記録再生装置及び画像ファイル記録再生プログラムをを提供することを目的とする。
【課題を解決するための手段】
【０００６】
本発明は、上記課題を解決するために、以下の１）〜２）記載の手段よりなる。
すなわち、
１）同一エリアを異なる角度から撮影した複数の画像ファイルを記録再生する監視システムに用いられる画像ファイル記録再生装置であって、
前記複数の画像ファイルとその時間情報とを記録する記録手段と、
前記記録手段により記録された複数の画像ファイルから再生を行う画像ファイル及び同時に再生を行う画像ファイルを選択する選択手段と、
前記選択手段により選択された複数の画像ファイルを前記各画像ファイルの時間情報に基づいて同時再生する再生手段と、
を有することを特徴とする画像ファイル記録再生装置。
【０００７】
２）同一エリアを異なる角度から撮影した複数の画像ファイルを記録再生する監視システムに用いられる画像ファイル記録再生装置を制御するための画像ファイル記録再生プログラムであって、
前記複数の画像ファイルとその時間情報とを記録する記録ステップと、
前記記録ステップにより記録された複数の画像ファイルから再生を行う画像ファイル及び同時に再生を行う画像ファイルを選択する選択ステップと、
前記選択ステップにより選択された複数の画像ファイルを前記各画像ファイルの時間情報に基づいて同時再生する再生ステップと、
を有することを特徴とする画像ファイル記録再生プログラム。
【発明の効果】
【０００８】
本発明の「画像ファイル記録再生装置及び画像ファイル記録再生プログラム」によれば、指定したファイルを時間情報で同期して伸張を行い同時に再生、早送り、スロー、一時停止などを行って表示するので、記録した画像を効率よく検索したり、解析を行うことができる再生装置及び再生プログラムを提供することが可能となる。
【発明を実施するための最良の形態】
【０００９】
以下、本発明に係る画像ファイル記録再生装置及び画像ファイル記録再生プログラムの発明を実施するための最良の形態につき、好ましい実施例により説明する。
【００１０】
以下、本実施例に適用される画像ファイル記録再生装置について、添付図面を参照して説明する。図１は本実施例に適用される画像ファイル記録再生装置の一例であるＰＣのブロック図、図２は本実施例に適用される画像ファイル記録再生装置の動作を説明するためのフローチャート、図３はＰＣのモニタに表示される再生の制御画面の例、図４は４つの画像を同時に表示する画面の例である。
【００１１】
なお、図１を説明するに当たり、図２の符号を参照することがある。
【００１２】
図１において、１０１（１０１ａ、１０１ｂ…）は画像入力部、１０２（１０２ａ、１０２ｂ…）は画像圧縮部、１０３はハードディスクなどの記憶装置、１０４（１０４ａ、１０４ｂ…）は画像伸張部、１０５は画像出力部、１０６は外部に接続されたモニタ、１０７はメモリ、１０８はＣＰＵ、１０９はマウスやキーボードなどの操作部、１１０はバスラインで、各部はバスライン１１０に接続し、ＣＰＵ１０８が各部を制御している。
【００１３】
また図３は再生の制御画面で、３１は操作部、３２は画像表示部、３３はタイトルバー、メニューバー、ツールバーなどのメニュー部、３４はファイル表示部である。
【００１４】
撮像装置で撮像した画像は画像入力部１０１ａ、１０１ｂに入力される。するとＣＰＵ１０８はあらかじめ設定されたタイマーやセンサ入力などに従って各部を制御し、画像入力部１０１でディジタル化し、画像圧縮部１０２でＪＰＥＧやＭＰＥＧなどの方式で圧縮し、画像ファイルとして記憶装置１０３に記録する。
【００１５】
このようにして記録された画像ファイルを再生する手順について説明する。再生プログラムを起動すると、ＰＣは図３のような画面を表示し、その右下のファイル表示部３４にファイルの一覧を表示する（ステップＳ１）。
【００１６】
複数のファイルを同期して再生したい場合は、まずファイルの一覧６４から、同期して再生したいファイルを選択する。選択の方法は例えばコントロールキーを押しながらマウスで複数のファイルを選択していく（ステップＳ２）。
【００１７】
ファイルの選択が終了すると、これらのファイルを同期させるため操作部３１の中の「同期再生」ボタンをクリックする（ステップＳ３）。
【００１８】
するとＰＣは再生の制御画面の画像表示部３２に選択したファイルの最初の画像をハードディスク１０３から読み込んで画像伸張部１０４で伸張し、再生制御画面の画像表示部３２に表示する（ステップＳ４）。
【００１９】
このときの画像表示部３２の表示例を図４に示す。この例ではコンビニエンスストアの店内を４つのカメラで監視する場合の例で、第１のカメラ、第２のカメラは陳列棚を撮像し、第３のカメラはレジ付近を撮像し、第４のカメラは出入り口付近を撮像するものとする。この４つのカメラで撮像した画像を記録した画像ファイル４つを、ステップＳ２で指定した場合、４つの画像ファイルを４つの画像伸張部１０４でそれぞれ伸張し、図４に示すように第１画面４１には第１のカメラで撮像した陳列棚の画像、第２画面４２には第２のカメラで撮像した陳列棚の画像、第３の画面４３には第３のカメラで撮像したレジ付近の画像、第４の画面には第４のカメラで撮像した出入り口付近の画像と４つの画面をを並べて画像表示部３２に表示する。
【００２０】
画像を再生したい場合は、操作部３１の再生ボタンをクリックする（ステップＳ５）。
すると４つの画像伸張部１０４は、ファイルの時間情報を基に同期を取って４つの画像ファイルを伸張し、画面に表示する（ステップＳ６）。
【００２１】
更に画像を早送りしたりスロー再生したり一時停止したい場合は、操作部３１の早送りボタン、スローボタン、一時停止ボタンなどをクリックする（ステップＳ７）。
【００２２】
するとＰＣはステップＳ７の指示に従って、４つの画像伸張部１０４を同期しながら早送り、スロー再生、一時停止などの動作を行う（ステップＳ８）。
【００２３】
このようにして本発明の再生装置は複数ファイルを同期して再生する。これにより、監視対象を異なる方向から撮像した画像を同時にみることができるので、記録した画像を効率よく検索したり、解析を行うことができる。
【００２４】
なお画像伸張部は同期再生する最大のファイル数に応じた個数だけハードウェア式の伸張部を設けておいてもよいし、同期再生するファイル数だけソフトウェア式の伸張部を起動してもよい。
【図面の簡単な説明】
【００２５】
【図１】本実施例に適用される画像ファイル記録再生装置の概略ブロック図である。
【図２】本実施例に適用される画像ファイル記録再生装置の画像ファイル再生動作を説明するためのフローチャートである。
【図３】本実施例に適用される画像ファイル記録再生装置の再生制御画面の一例を示した図である。
【図４】本実施例に適用される画像ファイル記録再生装置で４つの画像ファイルを同期再生する画面の一例を示した図である。
【符号の説明】
【００２６】
１０１ａ，１０１ｂ…画像入力部
１０２ａ，１０２ｂ…画像圧縮部
１０３…記憶装置
１０４ａ，１０４ｂ…画像伸張部
１０５…画像出力部
１０６…モニタ
１０７…メモリ
１０８…ＣＰＵ
１１０…バスライン
【図１】
2005276383.tif 000003
【図２】
2005276383.tif 000004
【図３】
2005276383.tif 000005
【図４】
2005276383.tif 000006